(57)【要約】      （修正有）【課題】線香を点火する部分を装置の内側に配置をして有る為に雨天の時、風が強い時でも容易に点火が出来る装置を提供する。【解決手段】右側に線香を挿入する挿入口を設け、線香を挿入すると装置内部に配した点火装置に線香が適切な角度に接したら線香の燃焼が始まり、同時に燃焼部の反対側が別に配したドアスイッチを作動させて、音声発生装置とその電源を起動させ、予め録音したお経などを読み上げ、燃焼が完了した線香は装置前面に設けた焼香穴で受け皿で燃焼させる。装置裏面に音声装置のＩＣレコーダーユニッとや電源装置などを収納し他に空間にミニ骨壷なども収納出来、音声装置は経文等を読み上げた後予め定めた時間になると終了することとするが休止状態の時は全てがスリープ状態で小電力となる構成とした。【選択図】図１
2017036643.tif 000002
【特許請求の範囲】
【請求項１】
本装置前面に線香の挿入口を配し、線香全体を挿入し、家庭用の電気や、ソーラー発電から電気を用い、該グロープラグで線香に点火をする場所を有し、線香に点火がすると同時に該ＩＣレコーダーを介して指定の経文等を読み上げ、又装置の前面に「指定の経文等を刻印し」同じ前面に「線香を燃焼する穴」を配し、側面に」戒名の刻印場所」を設け、装置後部に骨壷とＩＣレコーダー」と電源装置」を収納する装置を有した石材を組み込んだ装置
【請求項２】
本装置全面に配した線香の挿入口から線香を挿入すると該グロープラグの燃焼部に適切な角度になると該ドアスイッチの作用でタイマーユニットを介して該ソレノイドスイッチをセットした時間だけ作動し該ＩＣレコーダーを予めセットした音声を再生し、その間は該グロープラグは燃焼をしているがＩＣレコーダーの誤作動を防ぐ為に該グロープラグと該ＩＣデコーダーに通電する三端子電流は作用するがソエノイドスイッチは指定した時間は通電を止めるタイマーユニットスイッチ装置。
【請求項３】
杉の葉を主成分とした線香を点火が容易な用に装置の挿入口該点火装置に適した幅と長さに適切な断面に結束したの適した適切な本数を束ねた適切な矩形の長さを本装置に適し適切な長さの結束した線香。
【発明の詳細な説明】
【技術分野】
【０００１】本装置は、電源を太陽光発電から充電コントローラーを介して蓄電池に蓄え、必要に応じて点火装置と、該タイマーでソレノイドスイッチを作動して該ＩＣレコーダー音声発生装置（以下ＩＣレコーダーと言う）と通電をして他に、１２ボルトから該三端子アダプターを介してＩＣレコーダーの電源として使用する。
又、本装置を設置する場所に応じて、太陽光発電と蓄電池の利用を廃して定格電源（１００ボルト）の使用が出来る所では、該１００ボルトから１２ボルトのＤＣコンバーターを用い、本装置の内部の適切な場所に配置して線香の点火装置のブロープラグとＩＣレコーダーの作動装置のソレノイドスイッチとして又、ＩＣレコーダーの電源の三端子のアダプタを電源として利用する。
【背景技術】
【０００２】  雨天時や風が強い時や、視力障害者や片腕等でも線香の点火が可能な装置
【特許文献】グロウプラグに関する文献。ＮＧＫグロウプラグ適用表２００４から２００５
発行者  日本特殊陶業
ＩＣレコーダーの文献
ソニー株式会社
１０８−００７５
東京都港区港南１−７−１
ＤＣソレノイドカタログ
（株）ゴコウ
０１０−１６５３
秋田県秋田市豊岩小山狐森３２５
タイマーユニットの製作
（株）アイセス
〒０１８−１５１２
秋田県南秋田郡井川町北川尻字下田面替場１１−１
杉線香の話  著者  柏順子  出版社  筑波書林
【発明の開示】
【０００３】本発明は、従来マッチで紙等に火を付けてから線香に点火をするか又はライター等の風除けを取り付けた物等で点火をしているが、風が強かったり雨の降る時、片腕や、視力障害者では点火が困難であった。
【０００４】本発明の装置はソーラー発電から充電コントローラーを介して電源を蓄電池に蓄え必要に応じて蓄電池から配し
又は、定格電源から該ＤＣコンバーターを使用する。指定の経文等の刻印や線香の燃焼穴を配し、戒名の刻印場所を本体装置正面左側に本体内部からの適切なボルトで配して脱着可能な石材板を取り付け装置で裏面の内部に骨壺と音声発生装置の収容場所を備え又、線香を挿入した時に点火が出来る石材を組み合わせた装置である。
【発明が解決しようとする課題】
【０００５】本発明は、線香を点火する時に該グロウプラグを焼香台の本体に組み込み外部に火災等が及ばない構成をし、線香の挿入口は予め定めた形状と装置のサイズの長さに結束をした線香を用いて行う。
【０００６】上記の点火動作の時に電気の通電は、点火用の該グロープラグをヒンジに適切に配し、線香の挿入口から線香を接触すると該グロープラグの燃焼部を適切な角度に押し込むと、そのプラ該グの上部が予め配した該ドアースイッチの作用で点火装置に通電をし、同時に予め配した発明品のタイマーユニットに通電をして、タイマーユニットの作用で、該ソレノイドスイッチを予めせっとした適切な時間だけ作動させ該ＩＣレコーダーで音声を指定の時間だけ作動し、又タイマーユニットは該ソレノイドスイッチを作動させたら適切な時間欠させてＩＣレコーダーの誤作動を防ぐ間欠タイマーユニットを組み込む。
【０００７】線香の素材は杉の葉を主材料として断面形状は完全に効率良く点火が出来る様に該グロープラグの燃焼部形状に合わせて、燃焼部の幅と長さに適した本数と挿入時の適切な長さ適切なサイズの長さとして挿入時に線香が折れたり乱れたりしないように、線香本体の上部と下部の２か所を結束して該線香などにて利用が出来ない状態を解決する。
【０００８】本装置の電源は、屋外に設置する時は装置上面にソーラー発電を配し、本体内部に配した充電コントローラーを介して蓄電池に電気を蓄えて使用し、又本体を屋内に設置する時は家庭用の定格電源からＤＣコンバーターを使用して装置を稼動する適切な電圧に変換してそれを用いる。
【課題を解決するための手段】
【０００９】本発明の焼香台の適した前面に適切な線香の挿入口を設け、点火の時に生じる煙の排出する穴を側面に適切な大きさの肺炎穴と空気取り入れ口を設ける。
【００１０】線香を挿入してヒンジに配したグロープラグが燃焼に適した角度になると、予め配した該ドアスイッチの作用でグロープラグに通電し、又本発明品の間欠タイマーにも通電して該ソレノイドスイッチを２秒間作用して該ＩＣレコーダーの音声装置を作動させて指定した時間は音声を流し、その間は燃焼部は通電をしているが、ソレノイドスイッチの作動は指定した時間はＩＣレコーダーの誤作動を防ぐために間欠としたユニットであるがＩＣレコーダー本体の電源は終始三端子アダプターから電源を供給している
【００１１】本装置の電源は使用者の要求に応じて、野外に設置する時には、本体上面にソーラー発電パネルを配して太陽光を利用し、充電コントローラーを介して蓄電池に充電補給してから利用し、又、本体を屋内に設置をする時には家庭用の定格電気からＤＣコンバーターを介して必要な適切な電圧に変圧し、ＩＣレコーダーの電源は更に三端子アダプターを介してＩＣエコーダーに必要な電圧に変圧して使用する。
【発明の効果】
【００１２】線香を点火する部分が装置の内側に配置をして有る為に雨天の時、風が強い時、片腕等の障害者や視力障害者等でも容易に点火が出来る。
又、点火する部分を石材の内側に配して外部に触れる部分が無いので、火災等やヤケド等の心配が無い。
【発明を実施するための最良の形態】
【００１３】図１の（１）は本発明の本体前面であり、（２）の線香の挿入口から線香を挿入し、（３）の場所に指定をされた経文などを刻印をし、線香の点火の後に、予め刻印と同じろう録音をして置いた音声がＩＣレコーダーを介して流れ、（４）の場所に線香を焼却し、予め正面左側に取り外し可能な戒名の刻印板（３３）を取り付ける。【００１４】図２は線香を挿入口（５）から線香を挿入し、挿入部の前面一杯（１５）押し込みグロープラグと線香の接点が適切な角度になり（１６）に当たり燃焼部が燃焼を始めると燃焼部のは反対側（９）が通電スイッチを常時作動させて点火と同時に、ソーラー発電側（２）又はＤＣコンバーターのに配してある、ＩＣレコーダーを作動させる。
点火の確認はＩＣレコーダーの音声でも出来るが本体側面のグロープラグ収納部の排煙口の煙で確認が出来る。【００１５】図５は屋外設置の場合の装置に本体上面に太陽光発電のソーラーパネルを取り付けて線香点火装置と音声発生装置に充電コントローラーを介して蓄電池から供給するのに用いるソーラー発電の配置図である。【００１６】図８は本装置に用いる線香は図３の点火燃焼部（７）に効率良く接触する様にず８の通り線香の端を結束帯（２１）２の如くに束ねて、その断面は矩形状（２２）として長さは挿入口（１５）まで押し込んだ燃焼部と線香が適切な角度になる長さとする
燃焼が始まると図３の（８）の作動金具を軸として（９）の正の電極の端が（１１）のスイッチを作動させて、燃焼部の電線（９）と音声装置部の電線（１０）に蓄電池からの電線（１２）通電し別にグロウプラグには、作動金具部に蓄電池から負の電極（１３）を接続しておく【００１７】図７は線香の結束状態であるが、グロープラグの燃焼部に点火が適切な角度に当たる様に、線香の数を６本として結束をして、その長さを１５センチメートルとする。
その際に線香の長さを特定しておくのでその状態でいてもやがて線香が燃え尽きて燃焼部の重量の為、やがて燃焼部は元の位置に戻り電気が停止してロウプラグの異常燃焼を防ぎグロープラグ装置の保護が望める。【００１８】図８はＩＣレコーダーユニットの全体図であるが、線香がグロープラグの熱で燃焼を始めると、備え付けた該ドアスイッチ介して、該タイマーを作動させて、ソレノイドスイッチでＩＣレコーダーの作動スイッチを押し込み、指定した時間だけ音声の再生をする。
又、ＩＣレコーダーの電源は蓄電池及び、ＤＣコンバーターの電源を使用して三端子アダプターでタイマートユニット作動をさせる。【００１９】図１０は、（３０）の場所に蓄電池及びＤＣコンバーターを収納し、（３１）にＩＣレコーダーを取り付ける。又、（３２）の場所にはミニ骨壷を収納出来るがいずれも、本装置の後部（裏蓋）を脱着してメンテナンスが容易にできる。【００２０】図１１は戒名の刻印板であるが、本板は本体装置の正面左側に（３４）の穴を設けて必要に応じて脱着が可能な状態で取り付け、戒名が追加出来る様な仕組みとする。
【実施例】
【産業上の利用可能性】
【００２１】墓参り等の際に、焼香台の穴に点火をした線香を入れて手を合わせ、お祈りをし、その時に宗旨の経文が音声装置から流れて、当人の精神上の安らぎや宗旨の普及などの効果が期待出来る。
【図面の簡単な説明】
【００２２】
【図１】本装置の全体図と線香の挿入口と経文の刻印部と線香の焼香穴と戒名の刻印取り付け場所と排煙穴の位置図
【図２】ググロウプラグとドアスイッチと電極の取り付け配置図
【図３】線香の挿入口の側面図
【図４】線香の点火時の側面図
【図５】本体上面に太陽光ソーラーパネルを取り付けた図
【図６】線香の挿入口の正面図
【図７】線香の結束帯の部位と結束上面図
【図８】ＩＣレコーダーユニットの全体図
【図９】ＩＣレコーダーの取り付け上面図
【図１０】本体装置の上面図で電源装置の配置場所とＩＣレコーダーの取り付け場所とミニ骨壷の配置場所
【図１１】戒名の刻印場所と取り付け金具の留め穴の配置図
【符号の説明】１本装置の正面図  ２線香の挿入口  ３戒名の刻印場所  ４線香の焼却穴  ５線香の排煙穴の位置  ６線香の挿入穴の横図  ７点火燃焼部位  ８作動金具の取り付け部  ９正の電極取り付け部  １０音声装置への電線  １１電源スイッチ  １２蓄電池からの正の電線  １３蓄電池からの負の電線  １４線香の点火場所の空間  １５線香の排煙穴に対応した空気取り入れ穴  １６燃焼部に線香が接触している状態  １７線香が燃焼部に直角になった状態  １８太陽光発電パネルの外枠  １９ソーラーパネルの設置展開場所  ２０線香の結束部位  ２１線香の結束状態とその断面  ２２がＩＣレコーダー  ２３レコーダーのスイッチ  ２４レコーダーの取り付けベッド  ２５スイッチのシャフト  ２６ソレノイドスイッチ本体  ２７ＩＣれこーだーの取り付け装置の上面図  ２８ＩＣレコーダーを止める金具  ２９金具を止める穴  ３０蓄電池及びＤｃコンバーターの配置場所  ３１ＩＣレコーダーユニットの取り付け部  ３２ミニ骨壷の収納場所
３３戒名の刻印板  ３４戒名刻印板の取り付け上左穴  ３５戒名刻印板の取り付け上右穴  ３６戒名刻印板の取り付け下左穴  ３７戒名刻印板の取り付け下右穴
【図１】
2017036643.tif 000003
2017036643.tif 000004
【図４】
2017036643.tif 000005
【図５】
2017036643.tif 000006
【図６】
2017036643.tif 000007
【図７】
2017036643.tif 000008
【図８】
2017036643.tif 000009
【図９】
2017036643.tif 000010
【図１０】
2017036643.tif 000011
【図１１】
2017036643.tif 000012
2017036643.tif 000013
【手続補正書】
【提出日】平成27年11月3日(2015.11.3)
【手続補正１】
【補正対象書類名】図面
【補正対象項目名】全図
【補正方法】変更
【補正の内容】
【図１】
2017036643.tif 000014
【図２】
2017036643.tif 000015
【図３】
2017036643.tif 000016
【図４】
2017036643.tif 000017
【図５】
2017036643.tif 000018
【図６】
2017036643.tif 000019
【図７】
2017036643.tif 000020
【図８】
2017036643.tif 000021
【図９】
2017036643.tif 000022
【図１０】
2017036643.tif 000023
【図１１】
2017036643.tif 000024